(57)【要約】【課題】発光面を有する光源部１０と、前記発光面を覆うように配置された光学パネル２０と、前記発光面の周縁部を覆う前面部３０ａ（４０ａ）を有するフレーム３０（４０）とを備えた面発光装置において、フレーム３０（４０）を複数の分割部材３１，３２（４１，４２）を接続して形成する際に、フレーム３０（４０）の前面部３０ａ（４０ａ）における分割部材３１，３２（４１，４２）間の各隙間から光源部１０の光が洩れるのを防止できるようにする。【解決手段】フレーム３０（４０）の前面部３０ａ（４０ａ）における分割部材３１，３２（４１，４２）間の各隙間に、遮光部Ｓを設けるようにする。【選択図】図１
2005107498.tif 000002
【特許請求の範囲】
【請求項１】
発光面を有する光源部と、前記光源部の発光面を覆うように配置され、該光源部からの光に対して所定の光学作用を営む光学パネルと、前記光学パネルの周縁部に該光学パネルのパネル厚さ方向において重なるように配置された前面部を有するとともに、前記前面部の外周縁から該前面部よりも前記光源部側に延設された側面部を有し、前記光源部の発光面の周縁部に沿うように配置されたフレームとを備えた面光源装置であって、
前記フレームは、前記光源部の発光面の周縁部に沿う方向に分割された複数の分割部材が互いに接続されてなり、
前記フレームの前記前面部における前記複数の分割部材間の各隙間に、該隙間から前記光源部の光が洩れるのを防止する遮光部が設けられている
ことを特徴とする面光源装置。
【請求項２】
請求項１に記載の面光源装置において、
前記フレームは、
前記前面部が前記光学パネルの周縁部よりも前記光源部側にて該光源部の発光面の周縁部を覆うように設けられた後側フレームとされている
ことを特徴とする面光源装置。
【請求項３】
請求項１に記載の面光源装置において、
前記フレームは、
前記前面部が前記光学パネルの周縁部よりも前記光源部とは反対の側にて該光源部の発光面の周縁部を覆うように設けられた前側フレームとされている
ことを特徴とする面光源装置。
【請求項４】
請求項１に記載の面光源装置において、
前記フレームは、
前記前面部が前記光学パネルの周縁部よりも前記光源部側にて該光源部の発光面の周縁部を覆うように設けられた後側フレームと、
前記前面部が前記光学パネルの周縁部よりも前記光源部とは反対の側にて該光源部の発光面の周縁部を覆うように設けられた前側フレームとされている
ことを特徴とする面光源装置。
【請求項５】
請求項１に記載の面光源装置において、
前記複数の分割部材間の接続は、溶接により行われ、
前記遮光部は、前記溶接により形成された溶接部とされている
ことを特徴とする面光源装置。
【請求項６】
請求項５に記載の面光源装置において、
前記溶接部は、前記前面部における前記複数の分割部材間の各隙間に加え、
前記側面部における前記複数の分割部材間の各隙間にも設けられている
ことを特徴とする面光源装置。
【請求項７】
請求項１，２，３，４，５，６のうちの何れか１項に記載の面光源装置を備えた液晶表示装置であって、
前記光学パネルは、１対の透明電極基板と、該１対の透明電極基板間に配置された液晶層とを有する液晶表示パネルとされ、
前記光源部は、前記液晶表示パネルに向けて光を出射するバックライト部とされている  ことを特徴とする液晶表示装置。
【発明の詳細な説明】
【技術分野】
【０００１】
本発明は、液晶表示パネルの背面側に光源部としてのバックライト部を備えた液晶表示装置など、光源部の発光面の周縁部に沿ってフレームを配置するようにした面光源装置に関し、特にフレームの改良に関する。
【背景技術】
【０００２】
一般に、液晶表示パネルの背面側にバックライト部を備えた液晶表示装置では、バックライト部のフレームに液晶表示パネルが取り付けられており、また、その液晶表示パネルの周縁部上には、液晶表示パネルの取付けの補強や、液晶表示パネルの周縁部の保護などのために、ベゼル（額縁）が配置されている。
【０００３】
ところで、近年、液晶テレビに使用される液晶表示装置では、大形化が進行しており、それに伴い、強度を高くすることが重要になってきているものの、一方では、ベゼルの縁部分を狭くする狭額縁化の要求が強くなってきており、したがって、ベゼルの縁部分の幅を広くすることによる強度補強は困難である。
【０００４】
これに対し、特許文献１には、バックライト部のバックフレームと液晶表示パネルとの間に、該液晶表示パネルの表示領域に相当する部分が開口されてなる断面略Ｌ字状のフレームを配置することで、ベゼルの縁部分の幅広化を伴うケース厚さの厚肉化を招かずに、ケースの強度を補強できるようにすることが記載されている。
【０００５】
また、特許文献２には、上記のフレームを、各々、金属板から切り取ってＬ字状に曲げ加工してなる複数の分割部材に分割し、それら複数の分割部材同士をＬ字金具を用いて接続することで、フレームを金属板から直接に切り取るようにする場合よりも、金属板の無駄を少なくするとともに、フレームを複数の分割部材で構成するにも拘わらず、フレームの強度を確保できるようにすることが記載されている。
【０００６】
さらに、特許文献３には、液晶表示装置に使用される断面略Ｌ字状のフレームを複数の分割部材で構成する場合に、フレームの側面部における複数の分割部材間の相対応する端部同士を溶接することが記載されている。
【特許文献１】特開２０００−７５２７３号公報（図１，第６頁）
【特許文献２】特開２００３−５０５４９号公報（図２，第４頁）
【特許文献３】特開２００１−２４９６１９号公報（図２，第２頁）
【発明の開示】
【発明が解決しようとする課題】
【０００７】
しかしながら、上記従来の場合には、フレームの前面部における分割部材間の接続部分に僅かな隙間が生じやすく、この隙間から光源部の光が洩れるという難点がある。
【０００８】
本発明は、斯かる点に鑑みてなされたものであり、その主な目的は、光学パネルとしての液晶表示パネルの背面側に配置された光源部としてのバックライト部の発光面に対し、その周縁部に沿ってフレームを配置するようにした液晶表示装置などの面発光装置において、フレームを複数の分割部材の接続により形成する際に、フレームの前面部における分割部材間の隙間から光源部の光が洩れるのを防止できるようにすることにある。
【課題を解決するための手段】
【０００９】
上記の目的を達成すべく、本発明では、光源部の発光面の周縁部を覆うように位置する前面部と、この前面部の外周縁から光源部側に延設された側面部とを有するフレームを、複数の分割部材を互いに接続して形成する際に、フレームの前面部における分割部材間の隙間に遮光部を設け、この遮光部により、光源部の光りが隙間から洩れるのを防止するようにした。
【００１０】
具体的には、本発明に係る面光源装置は、光源部と、光学パネルと、フレームとを備えている。光源部は、発光面を有しており、光学パネルは、その光源部の発光面を覆うように配置されている。この光学パネルは、光源部からの光に対して所定の光学作用を営むものである。フレームは、光源部の発光面の周縁部に沿って配置されている。このフレームは、光源部の発光面の周縁部を覆う前面部と、その前面部の外周縁から該前面部よりも光源部側に延設された側面部とを有していて、光源部の発光面の周縁部に沿う方向に分割された複数の分割部材が互いに接続されてなっている。
【００１１】
そして、前記フレームの前面部における複数の分割部材間の各隙間には、該隙間から光源部の光が洩れるのを防止する遮光部が設けられているものとする。
【００１２】
尚、上記のフレームは、前面部が光学パネルの周縁部よりも光源部側に位置する後側フレームであってもよいし、又は、前面部が光学パネルの周縁部よりも光源部とは反対の側に位置する前側フレームであってもよく、さらには、それらの両方であってもよい。また、後側フレームおよび前側フレームの両方を備えている場合には、後側フレームの遮光部と、前側フレームの遮光部とを、光学パネルのパネル厚さ方向において互いに重ならないように配置してもよいし、重なるように配置することもできる。
【００１３】
また、上記分割部材の接続を溶接により行い、その溶接により形成された溶接部により上記の遮光部を構成するようにすることが好ましい。さらに、その際に、前面部における分割部材間の各隙間に加えて、側面部における分割部材間の各隙間に対し、その少なくとも一部分についても溶接するようにすれば、前面部における溶接と相まって、フレームの捻れ強度の向上をも図ることができる。
【００１４】
また、上記の構成は、１対の透明基板と、その１対の透明基板間に配置された液晶層とを有する前記光学パネルとしての液晶表示パネルを備えた液晶表示装置に適用することもできる。この場合、光源部は、液晶表示パネルに対するバックライト部として機能することになる。
【発明の効果】
【００１５】
以上説明したように、本発明によれば、光源部の発光面の周縁部を覆う前面部と、この前面部の外周縁から光源部側に延設された側面部とを有するフレームを光源部の発光面の周縁部に沿って配置するようにした面光源装置において、フレームが、複数の分割部材同士が接続されて形成されるものである場合に、そのフレームの前面部における分割部材間の各隙間に設けた遮光部により、その隙間から光源部の光が洩れるのを防止することができる。
【発明を実施するための最良の形態】
【００１６】
以下、本発明の実施形態を、図面に基づいて説明する。
【００１７】
図１の分解斜視図および図２の平面図は、本発明の実施形態に係る液晶表示装置の全体構成を模式的に示しており、この液晶表示装置は、表示画面の縦横比が９：１６である３７型の液晶ワイドテレビの表示装置として使用される。
【００１８】
この液晶表示装置は、図２のIII−III線拡大断面図である図３およびIV−IV線拡大断面図である図４にそれぞれ示すように、矩形状の発光面１０ａを有する光源部としてのバックライト部１０と、このバックライト部１０の発光面１０ａを覆うように配置された光学パネルとしての液晶表示パネル２０と、この液晶表示パネル２０をバックライト部１０に固定するための後側フレームとしての取付フレーム３０と、この取付フレーム３０との間で液晶表示パネル２０の周縁部をパネル厚さ方向（図３の上下方向および図４の左右方向）に挟持するための前側フレームとしてのベゼル４０とを備えている。
【００１９】
バックライト部１０は、直下型のものであって、断面矩形状をなすバックフレーム１１を有しており、このバックフレーム１１の液晶表示パネル２０側には、バックライト部１０の発光面１０ａを形成する矩形状の開口部が設けられている。また、バックフレーム１１の側周部のうち、長辺部における長辺方向中央部分と、短辺部における短辺方向両端部分とには、それぞれ、外側方に向かって突出した状態の取付片１１ａが設けられている。バックフレーム１１の側周部の内方には、支持板１２がバックフレーム１１の底部を形成するように配置されている。この支持板１２の上には反射シート１３が配置されており、その反射シート１３上には、図示は省略するが、冷陰極管などの複数本の線光源が互いに平行に配置されている。
【００２０】
液晶表示パネル２０は、図示は省略するが、例えば、画素毎に画素電極部およびＴＦＴ（Thin Film Transistor）が設けられた透明基板としてのＴＦＴ基板と、対向電極部およびカラーフィルタ層が設けられた透明基板としてのＣＦ基板と、これら両基板間に配置された液晶層とからなるアクティブマトリクス型のものであり、各電極基板における液晶層とは反対の側にはそれぞれ偏光板が貼り付けられている。また、液晶表示パネル２０は、各ＴＦＴのソース電極にデータ信号を伝達するためのデータ配線が短辺方向に延びかつ長辺方向に並ぶ一方、各ＴＦＴのゲート電極に走査信号を伝達するための走査配線が長辺方向に延びかつ短辺方向に並ぶように配置されている。これに伴い、図５の斜視図に模式的に示すように、各ＴＦＴにデータ信号を出力するデータドライバ回路２５は、液晶表示パネル２０の一方の長辺側に該長辺の略全体に亘るように設けられており、各ＴＦＴに走査信号を出力する走査ドライバ回路２６は、液晶表示パネル２０の両方の短辺側に該短辺の略中央に集約された状態に設けられている。これらドライバ回路２５，２６は、何れも、取付フレーム３０とベゼル４０との間に配置されている。その際に、データドライバ回路２５は、同一走査配線上の各画素電極部との距離が最小でかつ互いに等しくなるように、液晶表示パネル２０の長辺に沿って該長辺と略同じ長さに亘って配置されている。
【００２１】
取付フレーム３０は、図３および図４に示しているように、バックライト部１０の発光面１０ａの周縁部を覆う前面部３０ａと、この前面部３０ａの外周縁から該前面部３０ａに対しバックライト部１０側（図３の下側および図４の右側）に延設された側面部３０ｂとを有する断面略Ｌ字状をなしている。前面部３０ａは、液晶表示パネル２０の周縁部に対し、バックライト部１０側に位置しており、側面部３０ｂの先端側部分（図３の下端側部分および図４の右端側部分）は、バックライト部１０のバックフレーム１１の側周部の少なくとも液晶表示パネル２０側部分（図３の上端側部分および図４の左端側部分）を外側方から覆うように設けられており、取付フレーム３０は、側面部３０ｂにおいてバックフレーム１１に固定されている。そして、取付フレーム３０は、前面部３０ａの液晶表示パネル２０側（図３の上側および図４の左側）に配置されたクッション材５１を介して、該液晶表示パネル２０の周縁部をバックライト部１０側から支承するようになっている。
【００２２】
また、この取付フレーム３０は、図６の平面図に模式的に示すように、各々、短辺部の両端部分を除く直線部分を形成する分割部材としての２本の直状部材３１と、各々、長辺部およびその両端部分に上記短辺部の両端部分が一体化されてなる分割部材としての２本のＵ字状部材３２とが相対応する端部同士を接続されてなっている。これら直状部材３１およびＵ字状部材３２は、図示は省略するが、それぞれ、金属板（例えば、板厚が１．６ｍｍ程度の鉄板）から所定形状に切り抜かれた板片が曲げ加工されてなっている。
【００２３】
ベゼル４０は、取付フレーム３０の場合と同様（図３および図４参照）に、バックライト部１０の発光面１０ａの周縁部を覆う前面部４０ａと、この前面部４０ａの外周縁から該前面部４０ａに対しバックライト部１０側に延設された側面部４０ｂとを有する断面略Ｌ字状をなしており、側面部４０ｂは、取付フレーム３０の側面部３０ｂの略全体を側方から覆うように設けられている。但し、前面部４０ａは、液晶表示パネル２０の周縁部に対し、取付フレーム３０の前面部３０ａとは反対の側（図３の上側および図４の左側）に位置しており、このことで、ベゼル４０は、前面部４０ａの液晶表示パネル２０側（図３の下側および図４の右側）に配置されたクッション材５２を介して、該液晶表示パネル２０の周縁部を取付フレーム３０の前面部３０ａとの間に挟持するようになっている。
【００２４】
その際に、ベゼル４０の前面部４０ａは、複数のビス６０により取付フレーム３０の前面部３０ａに固定されている。また、ベゼル４０の側面部４０ｂにおける各長辺部中央部分（同図の左右方向中央部分）と、各短辺部両端部分（同図の上下方向両端部分）とには、それぞれ、外側方に向かって突出した状態の取付片４０ｃがバックフレーム１１の取付辺１１ａに対応するように設けられており、各取付片４０ｃは、複数のビス６０によりバックフレーム１１の取付片１１ａに固定されている。これらのことで、ベゼル４０は、取付フレーム３０およびバックフレーム１１に取り付けられている。
【００２５】
また、このベゼル４０も、取付フレーム３０の場合と同様に、各々、短辺部の両端部分を除く直線部分を形成する分割部材としての２本の直状部材４１と、各々、各長辺部の対応する端部に上記各短辺部の両端部分が一体化されてなる分割部材としての２本のＵ字状部材４２とが相対応する端部同士を接続されてなっている（図２参照）。これら直状部材４１およびＵ字状部材４２も、取付フレーム３０の場合と同様に、それぞれ、金属板（例えば、板厚が１．６ｍｍ程度のアルミニウム合金板）から所定形状に切り抜かれた板片が曲げ加工されてなっている。
【００２６】
つまり、本実施形態では、取付フレーム３０およびベゼル４０の両方が、金属板から切り抜かれた板片を曲げ加工して得られた直状部材３１，４１およびＵ字状部材３２，４２を互いに接続することで得られるので、それら取付フレーム３０およびベゼル４０を金属板から得る際に、取付フレーム３０およびベゼル４０の一方が、金属板から所定形状に切り抜かれた１つの板片により形成される場合には、液晶表示装置の表示領域の大形化に伴い、金属板に切り抜かれた後の無駄な部分が増大するのに対し、そのような無駄な部分を少なく済ませることができる。尚、取付フレーム３０およびベゼル４０の各分割位置は、図５から判るように、液晶表示パネル２０に対するデータドライバ回路２５および走査ドライバ回路２６と重ならないように配慮されている。また、取付フレーム３０およびベゼル４０の各Ｕ字状部材３２，４２において、該取付フレーム３０およびベゼル４０における短辺部の端部と該端部に対応する長辺部の端部との接続部分である角部分については、前面部３０ａ，４０ａおよび側面部３０ｂ，４０ｂの両方に接続部分が生じないように、絞り加工などにより形成すると好適である。
【００２７】
そして、本実施形態では、上記の取付フレーム３０を形成する直状部材３１およびＵ字状部材３２の接続は、図２のVII−VII線拡大断面図である図７に示すように、取付フレーム３０の前面部３０ａにおける直状部材３１とＵ字状部材３２との間の各隙間が該前面部３０ａの幅方向の範囲における全体に亘って溶接されていることにより行われており、また、その溶接により形成された溶接部Ｓにより、本発明における遮光部が構成されている。
【００２８】
さらに、取付フレーム３０では、上記前面部３０ａにおける各隙間に加え、側面部３０ｂにおける直状部材３１とＵ字状部材３２との間の各隙間についても、その側面部３０ｂの幅方向の範囲における全体に亘って溶接されていて、溶接部Ｓが形成されている。
【００２９】
また、上記のベゼル４０についても、その前面部４０ａにおける直状部材４１とＵ字状部材４２との間の各隙間と、側面部４０ｂにおける直状部材４１とＵ字状部材４２との間の各隙間とが、それぞれ、各幅方向の範囲における全体に亘って溶接されており、取付フレーム３０の場合と同じく、溶接部Ｓが形成（図７参照）されている。尚、溶接方法の一例としては、アーク溶接法が挙げられるが、溶接方法としては、溶接部Ｓが光洩れを起こさないものであれば特に限定されるものではない。
【００３０】
したがって、本実施形態によれば、発光面１０ａを有するバックライト部１０と、このバックライト部１０の発光面１０ａを覆うように配置されていて、該バックライト部１０からの光に対し、その透過度を画素毎に変更可能な液晶表示パネル２０と、この液晶表示パネル２０の周縁部よりもバックライト部１０側にて該バックライト部１０の発光面１０ａの周縁部を覆う前面部３０ａを有するとともに、その前面部３０ａの外周縁から該前面部３０ａよりもバックライト部１０側に延設された側面部３０ｂを有していて、バックライト部１０の発光面１０ａの周縁部に沿うように配置された取付フレーム３０と、液晶表示パネル２０の周縁部よりもバックライト部１０とは反対の側にて該バックライト部１０の発光面１０ａの周縁部を覆う前面部４０ａを有するとともに、その前面部４０ａの外周縁から該前面部４０ａよりもバックライト部１０側に延設された側面部４０ｂを有していて、バックライト部１０の発光面１０ａの周縁部に沿うように配置されたベゼル４０とを備えた液晶表示装置において、取付フレーム３０およびベゼル４０を、それぞれ、２本の直状部材３１，４１と、２本のＵ字状部材３２，４２とを互いに接続して形成するに際し、それら直状部材３１，４１およびＵ字状部材３２，４２を、それぞれ、各前面部３０ａ，４０ａにおける各隙間の全体、および、各側面部３０ｂ，４０ｂにおける各隙間の全体をそれぞれ溶接して接続するようにしたので、取付フレーム３０およびベゼル４０の前面部３０ａ，４０ａにおける直状部材３１，４１およびＵ字状部材３２，４２間の各隙間と、側面部３０ｂ，４０ｂにおける直状部材３１，４１およびＵ字状部材３２，４２間の各隙間とからバックライト部１０の光が洩れるのを防止することができる。
【００３１】
また、取付フレーム３０およびベゼル４０の各直状部材３１，４１およびＵ字状部材３２，４２の接続を、前面部３０ａ，４０ａにおける各隙間の溶接だけでなく、側面部３０ｂ，４０ｂにおける各隙間の溶接によっても行うようにしたので、前面部３０ａ，４０ａにおける各隙間のみを溶接することにより行う場合に比べて、取付フレーム３０およびベゼル４０の各捻れ強度を高くすることができる。
【００３２】
尚、上記の実施形態では、取付フレーム３０およびベゼル４０を、断面略Ｌ字状とするようにしているが、各断面形状は、必要に応じて任意に設計することができる。
【００３３】
また、上記の実施形態では、取付フレーム３０およびベゼル４０を、それぞれ、２本の直状部材３１，４１と、２本のＵ字状部材３２，４２とに分割するようにしているが、分割数や各分割部材の形状は、任意に設定することができる。具体的には、例えば、図８の平面図に示す変形例１のように、取付フレーム３０（ベゼル４０）を、２本の短辺側直状部材３３（４３）と、２本の長辺側直状部材３４（４４）とに分割するようにしてもよい。
【００３４】
また、上記の実施形態では、取付フレーム３０およびベゼル４０の側面部３０ｂ，４０ｂにおける直状部材３１，４１およびＵ字状部材３２，４２間の各隙間において、その各幅方向の範囲の全体を溶接するようにしているが、一部のみを溶接するようにしてもよい。
【００３５】
また、上記の実施形態では、取付フレーム３０およびベゼル４０の両方について、複数本の分割部材を互いに接続して形成するようにしているが、何れか一方のみを、複数本の分割部材を互いに接続して形成するようにしてもよい。
【００３６】
また、上記の実施形態では、溶接により接続を行いかつその溶接により遮光部Ｓを構成するようにしているが、溶接以外の公知の接続手段により接続を行ったり、さらには、接続については専用の接続手段で行う一方、遮光部については溶接以外の公知の遮光手段により構成するようにしてもよい。
【００３７】
また、上記の実施形態では、取付フレーム３０およびベゼル４０の各分割部材の両端部を、分割方向に直交する平面でもって切断された状態の端面を有する形状に形成するようにしているが、図７に略相当する図９の変形例２に示すように、分割方向（図９の左右方向）における所定の長さＬに亘り、一方の端部をパネル厚さ方向における光源部側部位が切り欠かれた状態の階段状に形成し、他方の端部をパネル厚さ方向における光源部とは反対側の部が切り欠かれた状態の階段状に形成し、各端部を互いの切欠部分が補われるように重ね、各分割方向における対向面間においてそれぞれ溶接するようにすることもできる。その場合に、接続部分での強度を得る上では、各端部の重ね部分の厚さ寸法ｔ１，ｔ２を略等しく（ｔ１≒ｔ２）することが好ましく、また、重ね部分の長さＬとしては、Ｌ＝２ｍｍ程度が好ましい。
【００３８】
また、上記の実施形態では、取付フレーム３０およびベゼル４０を、鉄板やアルミニウム合金板などの金属材料からなるものとするようにしているが、溶接の可能なものであれば、非金属材料からなるものとするようにしてもよい。
【００３９】
また、上記の実施形態では、両方の基板がそれぞれ電極部を有するの場合について説明しているが、本発明は、例えば、一方の基板のみが電極部を有するＩＰＳ（In Plane Switching）方式の液晶表示装置など、種々の型式の液晶表示装置に適用することができる。
【００４０】
また、上記の実施形態では、線光源が液晶表示パネル２０の直下に位置する直下型のバックライト部１０を備えた液晶表示装置の場合について説明しているが、バックライト部１０としては、これに限定されるものではなく、例えば線光源が液晶表示パネル２０の表示領域の側辺側に位置するエッジライト型であってもよい。
【００４１】
さらに、上記の実施形態では、液晶表示装置の場合について説明しているが、本発明は、その他の面光源装置に適用することができるのは勿論である。
【図面の簡単な説明】
【００４２】
【図１】本発明の実施形態に係る液晶表示装置の全体構成を模式的に示す分解斜視図である。
【図２】液晶表示装置の全体構成を模式的に示す正面図である。
【図３】図２のIII−III線拡大断面図である。
【図４】図２のIV−IV線拡大断面図である。
【図５】液晶表示装置におけるドライバ回路の配置を示す斜視図である。
【図６】ベゼルが取り外された状態の液晶表示装置を模式的に示す正面図である。
【図７】図２のVII−VII線拡大断面図である。
【図８】本実施形態の変形例１を模式的に示す正面図である。
【図９】本実施形態の変形例２を模式的に示す拡大断面図である。
【符号の説明】
【００４３】
１０  バックライト部（光源部）
１０ａ  発光面
２０  液晶表示パネル（光学パネル）
３０  取付フレーム（後側フレーム）
３０ａ  前面部
３０ｂ  側面部
３１  直状部材（分割部材）
３２  Ｕ字状部材（分割部材）
３３  短辺側直状部材（分割部材）
３４  長辺側直状部材（分割部材）
４０  ベゼル（前側フレーム）
４０ａ  前面部
４０ｂ  側面部
４１  直状部材（分割部材）
４２  Ｕ字状部材（分割部材）
４３  短辺側直状部材（分割部材）
４４  長辺側直状部材（分割部材）
Ｓ  溶接部（遮光部）
【図１】
2005107498.tif 000003
【図２】
2005107498.tif 000004
【図３】
2005107498.tif 000005
【図４】
2005107498.tif 000006
【図５】
2005107498.tif 000007
【図６】
2005107498.tif 000008
【図７】
2005107498.tif 000009
【図８】
2005107498.tif 000010
【図９】
2005107498.tif 000011